【手続補正書】
【提出日】平成24年6月29日(2012.6.29)
【手続補正１】
【補正対象書類名】明細書
【補正対象項目名】発明の名称
【補正方法】変更
【補正の内容】
【発明の名称】光源装置、その制御方法及びプロジェクタ
【手続補正２】
【補正対象書類名】明細書
【補正対象項目名】０００１
【補正方法】変更
【補正の内容】
【０００１】
本発明は、光源装置、その制御方法と、この光源装置を備えたプロジェクタに関するものである。
【手続補正３】
【補正対象書類名】明細書
【補正対象項目名】０００６
【補正方法】変更
【補正の内容】
【０００６】
本発明は、このような従来技術の問題点に鑑みてなされたものであり、画面の輝度を向上させることのできる光源装置、その制御方法と、この光源装置を備えたプロジェクタを提供することを目的としている。
【手続補正４】
【補正対象書類名】明細書
【補正対象項目名】０００７
【補正方法】変更
【補正の内容】
【０００７】
本発明の光源装置は、複数のセグメント領域を有し、励起光を受けて所定の波長帯域光を発する蛍光体を備え、回転制御される発光板と、励起光を前記蛍光体に照射する第一光源と、前記蛍光体から射出される蛍光光及び前記第一光源から射出される励起光と異なる波長帯域光を発する第二光源と、前記発光板から射出される光及び前記第二光源から射出される光を同一光路上に集光させる集光光学系と、前記第一光源及び第二光源の発光を制御する光源制御手段と、備え、前記光源制御手段が前記第一光源を消灯させる範囲は、前記複数のセグメント領域のうちの二つのセグメント領域の境界線を中心とした中心角が鋭角とされる扇形の領域であって、前記発光板の中心と前記第一光源からの光の略円形状の照射領域の外周の接線とを結ぶ線の何れか一方が、前記二つのセグメント領域の境界に位置したときに、前記第一光源を消灯させることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
そして、本発明のプロジェクタは、上記の光源装置と、表示素子と、前記光源装置からの光を前記表示素子に導光する光源側光学系と、前記表示素子から射出された画像をスクリーンに投影する投影側光学系と、前記光源装置や表示素子を制御するプロジェクタ制御手段と、を備えていることを特徴とする。
そして、本発明の光源装置の制御方法は、複数のセグメント領域を有し、励起光を受けて所定の波長帯域光を発する蛍光体を備え、回転制御される発光板と、励起光を前記蛍光体に照射する第一光源と、前記蛍光体から射出される蛍光光及び前記第一光源から射出される励起光と異なる波長帯域光を発する第二光源と、前記発光板から射出される光及び前記第二光源から射出される光を同一光路上に集光させる集光光学系と、を備える光源装置の制御方法であって、前記複数のセグメント領域のうちの二つのセグメント領域の境界線を中心とした中心角が鋭角とされる扇形の領域で前記第一光源を消灯させ、前記発光板の中心と前記第一光源からの光の略円形状の照射領域の外周の接線とを結ぶ線の何れか一方が、前記二つのセグメント領域の境界に位置したときに、前記第一光源を消灯させることを特徴とする。
【手続補正１８】
【補正対象書類名】特許請求の範囲
【補正対象項目名】全文
【補正方法】変更
【補正の内容】
【特許請求の範囲】
【請求項１】
複数のセグメント領域を有し、励起光を受けて所定の波長帯域光を発する蛍光体を備え、回転制御される発光板と、
励起光を前記蛍光体に照射する第一光源と、
前記蛍光体から射出される蛍光光及び前記第一光源から射出される励起光と異なる波長帯域光を発する第二光源と、
前記発光板から射出される光及び前記第二光源から射出される光を同一光路上に集光させる集光光学系と、
前記第一光源及び第二光源の発光を制御する光源制御手段と、備え、
前記光源制御手段が前記第一光源を消灯させる範囲は、前記複数のセグメント領域のうちの二つのセグメント領域の境界線を中心とした中心角が鋭角とされる扇形の領域であって、前記発光板の中心と前記第一光源からの光の略円形状の照射領域の外周の接線とを結ぶ線の何れか一方が、前記二つのセグメント領域の境界に位置したときに、前記第一光源を消灯させることを特徴とする光源装置。
【請求項２】
前記光源制御手段が、少なくとも一つの隣り合うセグメント領域の境界に前記第一光源からの光が照射されないように、第一光源を消灯させ、第二光源を点灯させるように構成されていることを特徴とする請求項１に記載の光源装置。
【請求項３】
前記第一光源は、青色帯域のレーザー発光器であることを特徴とする請求項１又は請求項２に記載の光源装置。
【請求項４】
前記蛍光体は、励起光を受けて少なくとも緑色の波長帯域光を発する蛍光体であることを特徴とする請求項３に記載の光源装置。
【請求項５】
前記第二光源は、赤色帯域の発光ダイオードであることを特徴とする請求項３又は請求項４に記載の光源装置。
【請求項６】
前記第一光源の光軸と第二光源の光軸とが交差する位置に、前記発光板からの光を透過させ前記第二光源からの光を反射させる、又は、前記発光板からの光を反射させ前記第二光源からの光を透過させるダイクロイックミラーが配置されていることを特徴とする請求項１乃至請求項５の何れかに記載の光源装置。
【請求項７】
前記光源制御手段が、前記第一光源及び第二光源を個別に点灯制御するとともに、前記第一光源からの光を受けて前記発光板から射出される光と、第二光源から射出される光とが所定時間だけ合成されるように前記第一光源及び第二光源を同時に点灯させることを特徴とする請求項６に記載の光源装置。
【請求項８】
前記第一光源の光軸と第二光源の光軸とが交差する位置に、前記第一光源からの光を透過させ前記第二光源からの光を反射させる、又は、前記第一光源からの光を反射させ前記第二光源からの光を透過させるダイクロイックミラーが配置されていることを特徴とする請求項１乃至請求項５の何れかに記載の光源装置。
【請求項９】
光源装置と、表示素子と、前記光源装置からの光を前記表示素子に導光する光源側光学系と、前記表示素子から射出された画像を投影する投影側光学系と、前記光源装置や表示素子を制御するプロジェクタ制御手段と、を備え、
前記光源装置が、請求項１乃至請求項８の何れかに記載の光源装置であることを特徴とするプロジェクタ。
【請求項１０】
複数のセグメント領域を有し、励起光を受けて所定の波長帯域光を発する蛍光体を備え、回転制御される発光板と、励起光を前記蛍光体に照射する第一光源と、前記蛍光体から射出される蛍光光及び前記第一光源から射出される励起光と異なる波長帯域光を発する第二光源と、前記発光板から射出される光及び前記第二光源から射出される光を同一光路上に集光させる集光光学系と、を備える光源装置の制御方法であって、
前記複数のセグメント領域のうちの二つのセグメント領域の境界線を中心とした中心角が鋭角とされる扇形の領域で前記第一光源を消灯させ、前記発光板の中心と前記第一光源からの光の略円形状の照射領域の外周の接線とを結ぶ線の何れか一方が、前記二つのセグメント領域の境界に位置したときに、前記第一光源を消灯させることを特徴とする光源装置の制御方法。